(57)【特許請求の範囲】
【請求項１】
信号灯器に流れる電流検出値とあらかじめ設定したしきい値との比較から、前記信号灯器の点灯状態と消灯状態を識別した信号点灯実データを生成する信号状態検出器と、
過去に発生した交通事故時の映像データおよび音声データを再生可能とするために、前記信号状態検出器で生成された前記信号点灯実データと関連づけて、連続して前記映像データおよび前記音声データを記録部に記録させる記録制御部と
を備えた交通事故自動記録装置において、
前記記録制御部は、前記信号状態検出器内で用いられる増幅率を設定し、前記信号状態検出器に対して送信する機能を有し、
前記信号状態検出器は、
前記信号灯器の電流およびコモン電流を、設定された増幅率に従ってそれぞれ増幅する増幅部と、
増幅されたコモン電流波形を矩形波整形し、矩形波の中心位置に相当するパルス信号を生成するタイミングパルス生成部と、
前記信号灯器を流れる正弦波波形を有する電流を半波整流する波形整形部と、
タイミングパルス生成部で生成された前記パルス信号のタイミングにおいて、前記波形整形部による半波整流後の信号値を読み取り、読み取った前記信号値と前記しきい値とを比較することで前記点灯状態と前記消灯状態を識別する点灯判定部と、
前記点灯判定部による識別結果に応じて、点灯または消灯する表示部と、
前記点灯判定部による識別結果に応じて、前記信号点灯実データを生成し、前記記録制御部に対して出力する実データ生成部と、
前記表示部による表示状態と、前記信号灯器の実際の点灯状態とが一致していないと判断したオペレータにより、前記記録制御部で設定された前記増幅率を受信し、前記増幅部で使用する増幅率を更新する設定値制御部と
を有する交通事故自動記録装置。
【発明の詳細な説明】
【技術分野】
【０００１】
本発明は、交差点での交通事故に関連する映像データや音声データを記録し、必要な時間帯のデータを再生可能とする交通事故自動記録装置に関し、特に、信号灯器の点灯状態を正確に検出するための信号状態検出器に関するものである。
【０００２】
従来の交通事故状況記録装置は、交差点近傍に周囲音検出装置および撮像装置を設け、これらの装置から音響信号および映像信号を取得できる構成を備えている。そして、車両の衝突音をトリガ信号として検出し、エンドレス記録装置でトリガ信号の前後の一定時間を間欠的に記録するとともに、磁気記録再生装置で、記録された音響信号および映像信号を再生できる構成を備えている（例えば、特許文献１参照）。
【０００３】
このようにして、従来の交通事故自動記録装置は、交差点で発生した交通事故を、その衝突音などの事故音を識別し、事故音をトリガとして、事故の前後数秒の映像データと音声データを記録し、必要な時間帯のデータを再生可能としていた。
【０００４】
【特許文献１】特開平４−３３８９００号公報
【特許文献２】特開平１０−１４２０４２号公報
【発明の概要】
【発明が解決しようとする課題】
【０００５】
しかしながら、従来技術には、以下のような課題がある。
映像データや音声データを記憶する記録メディアは、その記録容量が限られているため、トリガが発生した前後数秒のみの映像データおよび音声データしか記録できなかった。また、記録メディアが小容量であるため、数日から１週間程度で、データの上書きが発生し、古い記録がなくなってしまう問題があった。
【０００６】
さらに、事故音の識別精度にもよるが、事故以外の事象を多く記録してしまい、事故映像の検索に時間がかかっていた。従って、交通事故の発生した時間帯の映像データおよび音声データを長時間にわたってより確実に記録し、かつ、特定の事故データを検索する際の操作性を改善することが強く望まれている。
【０００７】
特に、交通事故が発生した際には、その事故現場におけるすべての信号灯器の点灯状態を正確に再現することが重要となる。特に、近年では、信号灯器が電球からＬＥＤに変わる、あるいは電球とＬＥＤが混在するといった状況が考えられ、どのような構成の信号灯器に対しても、点灯状態を正確に記録することが強く望まれている。
【０００８】
本発明は、前記のような課題を解決するためになされたものであり、信号灯器の点灯状態を高精度に検出する信号状態検出器を備えた交通事故自動記録装置を得ることを目的とする。
【課題を解決するための手段】
【０００９】
本発明に係る交通事故自動記録装置は、信号灯器に流れる電流検出値とあらかじめ設定したしきい値との比較から、信号灯器の点灯状態と消灯状態を識別した信号点灯実データを生成する信号状態検出器と、過去に発生した交通事故時の映像データおよび音声データを再生可能とするために、信号状態検出器で生成された信号点灯実データと関連づけて、連続して映像データおよび音声データを記録部に記録させる記録制御部とを備えた交通事故自動記録装置において、記録制御部は、信号状態検出器内で用いられる増幅率を設定し、信号状態検出器に対して送信する機能を有し、信号状態検出器は、信号灯器の電流およびコモン電流を、設定された増幅率に従ってそれぞれ増幅する増幅部と、増幅されたコモン電流波形を矩形波整形し、矩形波の中心位置に相当するパルス信号を生成するタイミングパルス生成部と、信号灯器を流れる正弦波波形を有する電流を半波整流する波形整形部と、タイミングパルス生成部で生成されたパルス信号のタイミングにおいて、波形整形部による半波整流後の信号値を読み取り、読み取った信号値としきい値とを比較することで点灯状態と消灯状態を識別する点灯判定部と、点灯判定部による識別結果に応じて、点灯または消灯する表示部と、点灯判定部による識別結果に応じて、信号点灯実データを生成し、記録制御部に対して出力する実データ生成部と、表示部による表示状態と、信号灯器の実際の点灯状態とが一致していないと判断したオペレータにより、記録制御部で設定された増幅率を受信し、増幅部で使用する増幅率を更新する設定値制御部とを有するものである。
【発明の効果】
【００１０】
本発明によれば、信号灯器を流れる電流のピークレベルから点灯状態を推定し、推定結果に対応させて表示部を点灯させ、信号灯器の実際の点灯状態と、表示部の点灯状態とが一致するように、信号灯器の検出電流の増幅率を可変設定できる機能を備えている。この結果、信号灯器の点灯状態を高精度に検出する信号状態検出器を備えた交通事故自動記録装置を得ることができる。
【図面の簡単な説明】
【００１１】
【図１】本発明の実施の形態１における交通事故自動記録装置をある交差点の対角の位置に配置した様子を示す図である。
【図２】本発明の実施の形態１における交通事故自動記録装置の構成を示すブロック図である。
【図３】本発明の実施の形態１における記録部の内部構成図である。
【図４】本発明の実施の形態１における信号点灯状態表に関する説明図である。
【図５】本発明の実施の形態２における記録部内に記録されたデータを、ＰＣ上に表示させる場合の一例を示す説明図である。
【図６】本発明の実施の形態２における事故音検出一覧表示エリアに表示される具体的な表示内容の説明図である。
【図７】本発明の実施の形態２における信号点灯状態表表示エリアに表示される具体的な表示内容の説明図である。
【図８】本発明の実施の形態３における信号状態検出器の内部構成を示すブロック図である。
【図９】本発明の実施の形態３における信号状態検出器の、図８の各部の信号波形図である。
【発明を実施するための形態】
【００１２】
以下、本発明の交通事故自動記録装置の好適な実施の形態につき、図面を用いて説明する。
【００１３】
実施の形態１．
図１は、本発明の実施の形態１における交通事故自動記録装置をある交差点の対角の位置に配置した様子を示す図である。図１においては、信号灯器１を制御するために交差点の１箇所に設置された信号制御器２と、交差点の対角の位置に配置された２機の交通事故自動記録装置１０ａ、１０ｂが示されている。
【００１４】
ここで、交通事故自動記録装置１０ａと交通事故自動記録装置１０ｂは、同一構成を有しており、それぞれ独立に動作する。そこで、以下の説明では、交通事故自動記録装置１０ａと交通事故自動記録装置１０ｂを区別せずに、交通事故自動記録装置１０として説明する。
【００１５】
また、交差点には、交通事故自動記録装置１０に対する情報入力源として、以下の機器も設置されている。
・音声データを収集するためのマイクロホン２０
・映像データを収集するためのカメラ３０
・時刻データを収集するためのＧＰＳ受信器４０
・信号灯器１に流れる制御をモニタし、変化する信号状態を特定する信号状態検出器５０
【００１６】
図２は、本発明の実施の形態１における交通事故自動記録装置１０の構成を示すブロック図である。図２に示した本実施の形態１における交通事故自動記録装置１０は、記録制御部１１、音声信号Ａ／Ｄ部１２、事故音検出部１３、記録部１４、および予備メモリ１５を備えて構成されている。
【００１７】
そして、交通事故自動記録装置１０内の記録制御部１１は、例えば、交差点を通過する車や人を撮影するカメラ３０から、デジタルの映像データを取り込む。なお、詳細は図示していないが、デジタルの映像データは、例えば、ＭＰＥＧ方式で圧縮された映像データとして取得される。
【００１８】
また、記録制御部１１は、交差点付近で発生する音声を集音したマイクロホン２０から音声信号を取り込んでデジタルの音声データに変換する音声信号Ａ／Ｄ部１２を介して、音声データを取り込む。なお、詳細は図示していないが、デジタルの音声データは、例えば、ＭＰ３という方式で圧縮された音声データとして取得される。
【００１９】
そして、記録制御部１１は、デジタル化された音声データと映像データを結合し、例えば、３分〜１０分程度のかたまりを単位として、映像音声データとして、記録部１４に記録する。なお、記録制御部１１は、映像音声データに対して、ＧＰＳ受信器４０から受信した時刻を付加して記録部１４に記録する。
【００２０】
また、記録制御部１１は、映像音声データをある単位ごとに記録部１４に記録する際に、暗号化を行う。従って、記録部１４に記録されたデータは、専用のソフトウェアによる暗号化解除処理を施さない限り、映像データ、音声データを再現できないようになっている。
【００２１】
事故音検出部１３は、マイクロホン２０および音声信号Ａ／Ｄ部１２を介して取得した音声信号について、リアルタイムで事故音（衝突音、急ブレーキ音等）を識別する。なお、事故音の識別には、例えば、特許文献２のような従来技術が適用でき、詳細な説明は省略する。事故音検出部１３は、事故音を検出したタイミングごとに、トリガ信号を出力する。
【００２２】
記録制御部１１は、事故音検出部１３からトリガ信号を受信すると、そのトリガ信号に対してＧＰＳ受信器４０から受信した時刻を付加して、事故発生時刻データとして、記録部１４に記録する。
【００２３】
さらに、記録制御部１１は、信号灯器１の状態を検出する信号状態検出器５０から信号点灯実データを受信し、ＧＰＳ受信器４０から受信した時刻を付加して、点灯状態変化データとして、記録部１４に記録する。なお、点灯状態変化データの具体的な生成方法については、後述する。
【００２４】
本実施の形態１における交通事故自動記録装置１０は、詳細は後述するが、記録部１４を取り外しできる構成を備えている。そこで、交通事故自動記録装置１０は、記録部１４が装置本体から取り外されている際に、映像音声データ、事故発生時刻データ、および点灯状態変化データを一時的に記憶するための記憶媒体として、予備メモリ１５を備えている。
【００２５】
記録部１４は、例えば、数ヶ月程度にわたって、映像音声データ、事故発生時刻データ、および点灯状態変化データを記録できる容量を有している一方で、予備メモリ１５は、データを数日間記録可能な容量を有している。
【００２６】
次に、本実施の形態１における記録部１４の詳細構成について、図３を用いて説明する。図３は、本発明の実施の形態１における記録部１４の内部構成図である。本実施の形態１における記録部１４は、ＵＳＢ  Ｉ／Ｆ１４１、制御部１４２、Ｎ個の記録媒体１４３（１）〜１４３（Ｎ）、電源切替え部１４４、およびバッテリ１４５を含んで構成されている。
【００２７】
記録部１４には、大容量の半導体メモリの記録媒体１４３（１）〜１４３（Ｎ）を使用している。１つの記録媒体１４３（ｎ）は、例えば、１００ＧＢ以上の容量を持ち、１〜２週間にわたって、映像音声データ、事故発生時刻データ、および点灯状態変化データを記録することが可能である。
【００２８】
そして、記録部１４は、記録制御部１１とＵＳＢ  Ｉ／Ｆ１４１で接続され、必要に応じて、交通事故自動記録装置１０本体から取り外し可能な構成となっている。このように、本実施の形態１における記録部１４は、装置から取り外して、持ち運び可能な構成となっているため、先の図１に示したように、別の場所で、その全てのデータを簡単にパーソナルコンピュータ（ＰＣ）６０上で再生できる。
【００２９】
また、記録部１４は、突然の停電、あるいはユーザによる突然の取外しを想定し、電源切替え部１４４およびバッテリ１４５を内蔵しており、記録媒体１４３内のデータの保護を行っている。すなわち、電源切替え部１４４は、停電あるいは記録部１４の取り外しにより、交通事故自動記録装置１０本体から記録部１４に電源が供給されない状態となった場合には、内蔵されているバッテリ１４５の電源を使用して、記録媒体１４３内のデータの保護を図ることができる構成となっている。
【００３０】
記録部１４内の制御部１４２は、複数の記録媒体１４３（１）〜１４３（Ｎ）の空き状況を常に管理し、１つの記録媒体が一杯になった場合には、他の空いている記録媒体にデータを記録する。そして、制御部１４２は、全ての記録媒体が一杯になったら、一番古いデータを検索して消去し、その空きスペースに最新のデータを記録する。
【００３１】
さらに、制御部１４２は、仮に、記録媒体の１つ以上で障害が発生したときにも、他の正常な記録媒体だけで動作を継続するように制御する。
【００３２】
なお、記録部１４内の記録媒体１４３は、設置場所で必要とされるデータ量やデータ保存期間等に応じて、必要な個数を実装することができる。
【００３３】
従って、記録制御部１１は、時刻と関連づけられた、映像音声データ、事故発生時刻データ、および点灯状態変化データを、設置環境に応じて、長時間にわたって、記録部１４に記録させることができる。
【００３４】
さらに、記録制御部１１は、記録部１４が交通事故自動記録装置１０本体から取り外されている状態においては、時刻と関連づけられた、映像音声データ、事故発生時刻データ、および点灯状態変化データを、予備メモリ１５に記録する。
【００３５】
そして、取り外されていた記録部１４が交通事故自動記録装置１０本体に再び取り付けられた場合には、記録制御部１１は、予備メモリ１５に記録されているデータを、記録部１４に自動的に転送する。この結果、記録部１４内には、取り外し中のデータも含めて、継続したデータの記録が可能となる。
【００３６】
次に、記録制御部１１による点灯状態変化データの生成方法について、説明する。
信号状態検出器５０は、各信号灯器１の電流を検知して、その情報を信号点灯実データとして、交通事故自動記録装置１０内の記録制御部１１に出力する。
【００３７】
一方、記録制御部１１は、設置場所の交差点における信号灯器１の点灯パターンの遷移状態を、信号点灯状態表として、あらかじめ記憶しておく。図４は、本発明の実施の形態１における信号点灯状態表に関する説明図である。
【００３８】
図４に示した信号点灯状態表は、先の図１に示したような、一方の直進路と、他方の直進路からなる十字の交差点に対する一例である。そして、図４中の「灯器」として記載されたＡ、Ａ１、ａ、は、一方の直進路に関する以下の内容を示している。
Ａ：一方の直進路における車両用の信号灯の点灯状態を意味しており、Ｇが緑点灯状態、Ｙが黄色点灯状態、Ｒが赤点灯状態、をそれぞれ示している。
Ａ１：一方の直進路における車両の右折用の矢印信号の点灯状態を意味しており、ＡＲが矢印点灯状態を示している。
ａ：一方の直進路における歩行者用の信号灯の点灯状態を意味しており、Ｇが緑点灯状態、ＧＷが緑点滅状態、Ｒが赤点灯状態、をそれぞれ示している。
【００３９】
同様に、図４中の「灯器」として記載されたＢ、Ｂ１、ｂ、は、他方の直進路に関する以下の内容を示している。
Ｂ：他方の直進路における車両用の信号灯の点灯状態を意味しており、Ｇが緑点灯状態、Ｙが黄色点灯状態、Ｒが赤点灯状態、をそれぞれ示している。
Ｂ１：他方の直進路における車両の右折用の矢印信号の点灯状態を意味しており、ＡＲが矢印点灯状態を示している。
ｂ：他方の直進路における歩行者用の信号灯の点灯状態を意味しており、Ｇが緑点灯状態、ＧＷが緑点滅状態、Ｒが赤点灯状態、をそれぞれ示している。
【００４０】
そして、遷移順序１〜７におけるそれぞれの点灯状態は、以下の内容を意味している。
遷移順序１：一方の直進路では、車両用と歩行者用の両方の信号灯（Ａおよびａ）が緑点状態であり、その一方で、他方の直進路では、車両用と歩行者用の両方の信号灯（Ｂおよびｂ）が赤点状態である。
遷移順序２：一方の直進路の歩行者用の信号灯（ａ）を緑点滅状態に遷移させる。
遷移順序３：一方の直進路の歩行者用の信号灯（ａ）を赤点灯状態に遷移させる。
【００４１】
遷移状態４：一方の直進路の車両用の信号灯（Ａ)を黄色点灯状態に遷移させる。
遷移状態５：一方の直進路の車両用の信号灯（Ａ)を赤点灯状態に遷移させるとともに、一方の直進路における車両の右折用の信号灯（Ａ１）を矢印点灯状態に遷移させる。
遷移状態６：一方の直進路の車両用の信号灯（Ａ)を黄色点灯状態に遷移させるとともに、一方の直進路における車両の右折用の信号灯（Ａ１）を矢印消灯状態に遷移させる。
遷移状態７：一方の直進路の車両用の信号灯（Ａ)を赤点灯状態に遷移させ、すべての信号灯を赤状態とする。
【００４２】
同様に、遷移順序８〜１４におけるそれぞれの点灯状態は、以下の内容を意味している。
遷移順序８：他方の直進路では、車両用と歩行者用の両方の信号灯（Ａおよびａ）が緑点状態であり、その一方で、他方の直進路では、車両用と歩行者用の両方の信号灯（Ｂおよびｂ）が赤点状態である。
遷移順序９：他方の直進路の歩行者用の信号灯（ａ）を緑点滅状態に遷移させる。
遷移順序１０：他方の直進路の歩行者用の信号灯（ａ）を赤点灯状態に遷移させる。
【００４３】
遷移状態１１：他方の直進路の車両用の信号灯（Ａ)を黄色点灯状態に遷移させる。
遷移状態１２：他方の直進路の車両用の信号灯（Ａ)を赤点灯状態に遷移させるとともに、他方の直進路における車両の右折用の信号灯（Ａ１）を矢印点灯状態に遷移させる。
遷移状態１３：他方の直進路の車両用の信号灯（Ａ)を黄色点灯状態に遷移させるとともに、他方の直進路における車両の右折用の信号灯（Ａ１）を矢印消灯状態に遷移させる。
遷移状態１４：他方の直進路の車両用の信号灯（Ａ)を赤点灯状態に遷移させ、すべての信号灯を赤状態とする。
【００４４】
そして、遷移状態１４の次は、再び遷移状態１に戻り、一連のサイクル動作が繰り返されることとなる。
【００４５】
このような図４の信号点灯状態表は、交差点ごとに固有に設定されるデータであり、あらかじめ記録制御部１１内に記憶されている。そして、記録制御部１１は、信号状態検出器５０から受信した信号点灯実データと、あらかじめ記憶した信号点灯状態表による遷移順序とに従って、時刻と対応付けた点灯状態変化データを生成する。このように、記録制御部１１は、信号点灯状態表による遷移順序に従って、点灯状態の変化を特定しており、信号状態検出器の電流検知の誤検知や誤配線を防止することができる。
【００４６】
以上のように、実施の形態１によれば、以下のような優れた効果を得ることができる。
・使用環境に応じた容量を有する記録部を、記録媒体の数を適切に選定することで容易に実現できる。この結果、数ヶ月以上の長時間にわたる連続記録を可能とすることができるとともに、記録部を取り外す日時をあらかじめ把握する必要がなくなる。また、記録媒体の一部が故障した場合にも、他の記録媒体にデータを保存することで、連続したデータの記録を継続することができ、信頼性が向上する。
【００４７】
・装置本体と記録部は、ＵＳＢ接続できる構成を備えている。この結果、記録部を装置本体から容易に取り外せる構成とすることができ、交差点以外の別の場所にあるＰＣ上で、詳細なデータ解析を行い、事故状況を分析することができる。
【００４８】
・さらに、記録部を取り外した際には、その間のデータを一時的に記録する予備メモリを備えて構成されている。さらに、記録部を装置本体に再度接続した際に、予備メモリから記録部にデータを自動転送する機能を備えている。この結果、大容量の高価な記録部を代替として用意しておくことが不要になるとともに、記録部を取り外している間の記録の抜けもない。また、記録媒体の一部が故障した場合にも、予備メモリにデータを保存することで、連続したデータの記録を継続することができ、信頼性が向上する。
【００４９】
・設置環境に対応した信号点灯状態表をあらかじめ記憶し、信号状態検出器による検出結果から、信号遷移状態表の遷移順序に従って点灯状態変化データを作成できる構成を備えている。この結果、信号状態検出器の電流検知の誤検知を防止できる。さらに、この点灯状態変化データを記録しておくことで、後の解析時において、事故発生時のすべての信号状態を明確に認識することを可能とする。
【００５０】
また、記録部には、バッテリが内蔵されている。この結果、記録部に電源が供給されない状況になっても、記録データを保護でき、信頼性が向上する。
【００５１】
さらに、記録部に記録される映像音声データは、暗号化されている。従って、第三者が記録部を取り外したとしても、専用のソフトウェアによる暗号化解除処理を施さない限り、映像データ、音声データを再現できない構成とすることができ、セキュリティ性を向上させることができる。
【００５２】
実施の形態２．
本実施の形態２では、記録部１４内に記録された映像音声データ、事故発生時刻データ、および点灯状態変化データに基づいて、特定の事故データを検索する際にＰＣ６０で行われる操作および表示内容について説明する。すなわち、検索操作性の改善手法について説明する。
【００５３】
図５は、本発明の実施の形態２における記録部１４内に記録されたデータを、ＰＣ６０上に表示させた場合の一例を示す説明図である。図６に示すように、ＰＣ６０上の画面６１内には、以下のような表示エリアが設けられている。
（１）事故音検出一覧表示エリア６２
例えば５分ごとの単位として個別に記録された映像音声データのうち、事故発生時刻データが含まれている時間帯の映像音声データを一覧表示させるエリアである。図６は、本発明の実施の形態２における事故音検出一覧表示エリア６２に表示される具体的な表示内容の説明図である。事故音検出一覧表示エリア６２には、事故音の検出日時と、検出音の種別を表示させることができる。
【００５４】
そこで、オペレータは、このように一覧表示された検出日時および検出音の種別を参照して、所望の映像音声データを選択することができる。
【００５５】
（２）記録映像データ表示エリア６３
オペレータによる選択結果に応じて、記録部１４から読み出された所望の映像音声データが表示されるエリアである。この記録映像データ表示エリア６３には、静止画、あるいは動画を表示することができ、動画再生中には、音声データも合わせてオペレータに提供することができる。
【００５６】
（３）信号点灯状態表表示エリア６４
先の図４に示した信号点灯状態表が表示されるとともに、記録映像データ表示エリア６３に表示された画像に対応する遷移順序がどこであるかがわかるように識別表示させるエリアである。
【００５７】
図７は、本発明の実施の形態２における信号点灯状態表表示エリア６４に表示される具体的な表示内容の説明図である。この図７の表示例は、先の図４に示した信号点灯状態表に対して、２行目を追加し、現在の表示画像に対応する遷移順序の位置に「▼」を表示させたものに相当している。
【００５８】
従って、オペレータは、信号点灯状態表表示エリア６４による表示情報から、記録映像データ表示エリア６３に表示された画像の時刻に対応した、交差点内のすべての灯器の点灯状態を容易に把握することができ、映像データとしては写っていない信号灯の状態も、正確に把握することができるようになる。
【００５９】
（４）時刻表示エリア６５
表示選択された映像音声データについて、表示されている時刻を示すシークバー６５ａと、事故音が記録されている時間帯を識別表示するための識別マーキング６５ｂを表示させるエリアである。なお、図６では、１箇所のみ識別マーキング６５ｂが表示されている状態を例示しているが、複数箇所に事故音が記録されている場合には、複数箇所に識別マーキング６５ｂを表示させることができる。また、識別マーキング６５ｂは、事故音の種別に応じて、色分けによる識別表示を行わせることも可能である。
【００６０】
（５）操作ボタン表示エリア６６
再生ボタン６６ａなどを表示させ、映像データの静止画／動画切り替えを行う、あるいは巻き戻し、先送りを行うなどといった操作ボタンを表示させるエリアである。
【００６１】
なお、図５のレイアウトは、あくまでも一例であり、特定の表示エリアに関して、選択に応じてウィンドウ表示するなど、階層的な表示とすることも可能である。
【００６２】
以上のような種々の表示エリアに表示されるデータに基づいて、オペレータは、事故シーンを容易に検索することができる。具体的には、オペレータは、以下のような手順で、事故シーンを検索することとなる。
（手順１）事故音検出一覧表示エリア６２から、所望のデータを選択することで、対応する映像音声データを記録部１４から取得する。なお、映像音声データは、先の実施の形態１で説明したように、例えば５分単位のかたまりとして記録されている。
【００６３】
（手順２）記録映像データ表示エリア６３に表示された映像データに関して、時刻表示エリア６５による識別マーキング６５ｂの位置により、検出音が記録されている時間帯を特定できるとともに、シークバー６５ａ、あるいは操作ボタン表示エリア６６内の再生ボタン６６ａなどを操作することで、所望の場所の静止画や動画を容易に再現することができる。
【００６４】
（手順３）さらに、信号点灯状態表表示エリア６４による表示情報から、記録映像データ表示エリア６３に表示された画像の時刻に対応した、交差点内のすべての灯器の点灯状態を把握することができる。
【００６５】
（手順４）なお、動画再生することで、映像データとともに、音声データを合わせて確認することができる。
【００６６】
以上のように、実施の形態２によれば、以下のような優れた効果を得ることができる。
・装置本体から取り外した記録部をＰＣに対してＵＳＢ接続することで、記録部内のデータを、ＰＣ上で容易に表示できる。
・検索に当たっては、事故の検出日時および検出音に関する一覧表の中から、適切なデータを選択し、その後、１つのかたまりで記録されている動画像の中から、検出音が記録された時刻の近傍の時間帯で、静止画あるいは動画を再生できる。
・さらに、表示画像の時刻に対応して表示される信号点灯状態を確認することで、その時刻での交差点内のすべての信号灯器の点灯状態を容易に確認することができる。
【００６７】
なお、事故発生時の映像音声データの検索を容易にする本実施の形態２で説明した表示機能は、記録部を交通事故自動記録装置本体から取り外した場合には、ＰＣ上で交通事故解析装置として実現することができる。ただし、記録部を交通事故自動記録装置本体から取り外さない場合には、交通事故自動記録装置にＰＣと同様の表示を行う構成を備えることによっても、実現可能である。
【００６８】
実施の形態３．
本実施の形態３では、信号状態検出器５０の内部構成について、詳細に説明する。本発明における記録制御部１１は、先の実施の形態１で説明したように、信号状態検出器５０から信号点灯実データを得ることで、点灯状態変化データを生成している。
【００６９】
そして、信号状態検出器５０は、先の図１に示したように、電流センサで検知した灯器に流れる電流を取得し、それぞれの色の灯器の電流値をある一定の増幅率で増幅し、増幅した信号がしきい値を超えると１（点灯）、超えないと０（消灯）という点灯状態としてデータ化し、信号点灯実データを生成している。
【００７０】
近年、信号灯器１が電球からＬＥＤに変わったことにより、流れる電流値が大きく減少した。また、１つの交差点で、電球とＬＥＤが混在する場合も考えられ、信号状態検出器５０内で、すべての信号色に対して一律の増幅率では対応できなくなってきた。
【００７１】
そこで、本実施の形態３では、電球あるいはＬＥＤいずれの信号灯器１に対しても、適切な増幅率を設定し、信号点灯実データの生成精度を向上させることのできる構成を備えた信号状態検出器５０について、図面を用いて詳細に説明する。
【００７２】
図８は、本発明の実施の形態３における信号状態検出器５０の内部構成を示すブロック図である。また、図９は、本発明の実施の形態３における信号状態検出器５０の、図８の各部の信号波形図である。これら図８、図９に基づいて、本実施の形態３における信号状態検出器５０および記録制御部１１による適切な増幅率の設定手法について説明する。
【００７３】
図８に示すように、本実施の形態３における信号状態検出器５０は、増幅部５１（ｃ）、５１（１）〜５１（３）、波形整形部５２（ｃ）、５２（１）〜５２（３）、タイミングパルス生成部５３、点灯判定部５４（１）〜５４（３）、表示部５５（１）〜５５（３）、信号点灯実データ生成部５６、および設定値制御部５７を備えて構成されている。
【００７４】
灯器ａ、灯器ｂ、灯器ｃは、いずれも同じ設定手法が適用できるため、以下の説明では、灯器ａに対する設定手法について説明する。そして、図９は、図８中に示したコモンに関連する信号Ｓ１〜Ｓ３と、灯器ａに関連する信号Ｓ４〜Ｓ６のそれぞれの波形を例示している。
【００７５】
コモン信号に対応する増幅部５１（ｃ）は、設定値Ｇｃに相当する増幅率でコモン信号Ｓｃｍを増幅し、信号Ｓ１を出力する。なお、設定値Ｇｃは、設定値制御部５７により可変設定が可能な構成となっている。
【００７６】
次に、波形整形部５２（ｃ）は、入力した信号Ｓ１に対して、矩形整形を施すことで、信号Ｓ２を出力する。
【００７７】
次に、タイミングパルス生成部５３は、入力した信号Ｓ２に対して、矩形波の中心のタイミングとなるパルス信号を生成し、信号Ｓ３として出力する。
【００７８】
一方、灯器ａの信号に対応する増幅部５１（１）は、設定値Ｇ１に相当する増幅率で信号Ｓａを増幅し、信号Ｓ４を出力する。なお、設定値Ｇ１は、設定値制御部５７により可変設定が可能な構成となっている。
【００７９】
次に、波形整形部５２（１）は、入力した信号Ｓ４に対して、半波整流を施すことで、信号Ｓ５を出力する。
【００８０】
そして、点灯判定部５４（１）は、タイミングパルス生成部５３を介して入力した信号Ｓ３のパルス信号タイミングで、波形整形部５２（１）を介して入力した信号Ｓ５の値を読み取る。そして、点灯判定部５４（１）は、読み取った信号が、あらかじめ設定したしきい値を超えている場合には１（点灯）、超えていない場合には０（消灯）と判定し、２値の信号Ｓ６を出力する。
【００８１】
点灯判定部５４（１）から出力される信号Ｓ６は、信号点灯実データ生成部５６に入力されるとともに、表示部５５（１）にも入力される。この結果、表示部５５（１）は、信号Ｓ６が１の場合には点灯表示、信号Ｓ６が０の場合は消灯表示を行う。このような表示により、オペレータは、現状の設定値Ｇｃ、Ｇ１に基づいて生成された信号Ｓ６が、点灯と消灯をどのように判定しているかを目視で確認し、実際の信号灯器１の点灯状態と一致しているか否かを比較することができる。
【００８２】
一方、信号点灯実データ生成部５６は、点灯判定部５４（１）〜５４（３）で得られたそれぞれの判定値から、信号点灯実データを生成し、記録制御部１１に対して出力する。そして、記録制御部１１は、先の実施の形態１で詳述したように、信号状態検出器５０から受信した信号点灯実データと、あらかじめ記憶した信号点灯状態表による遷移順序に従って、時刻と対応付けた点灯状態変化データを生成することとなる。
【００８３】
ここで、オペレータは、表示部５５（１）〜５５（３）の表示状態が変化するタイミングと、実際の点灯状態が変化するタイミングとが一致していれば、増幅率の設定値Ｇｃ、Ｇ１、Ｇ２、Ｇ３が正しいと判断できる。一方、オペレータは、表示部５５（１）〜５５（３）の表示状態が変化するタイミングと、実際の点灯状態が変化するタイミングとが一致していない場合には、増幅率の設定値Ｇｃ、Ｇ１、Ｇ２、Ｇ３が正しくないために、点灯判定部５４（１）〜５４（３）の判定が正しくできていないものと判断する。
【００８４】
そして、オペレータは、信号灯器１の実際の点灯状態の変化タイミングと、表示部５５（１）〜５５（３）の表示状態の変化タイミングが一致していない場合には、記録制御部１１で新たな設定値Ｇｃ、Ｇ１、Ｇ２、Ｇ３に修正する。そして、記録制御部１１は、オペレータにより修正された新たな設定値Ｇｃ、Ｇ１、Ｇ２、Ｇ３を、信号状態検出器５０内の設定値制御部５７に対して送信する。
【００８５】
設定値制御部５７は、記録制御部１１から受信した増幅率に関する新たな設定値Ｇｃ、Ｇ１、Ｇ２、Ｇ３を、それぞれの増幅部５１（ｃ）、５１（１）〜５１（３）に対して設定する。この結果、信号状態検出器５０は、記録制御部１１を介して受信した新たな設定値Ｇｃ、Ｇ１、Ｇ２、Ｇ３を用いて、上述した一連の処理を行い、信号点灯実データを生成するとともに、表示部５５を表示させることとなる。
【００８６】
従って、オペレータは、信号灯器１の実際の点灯状態の変化タイミングと、表示部５５（１）〜５５（３）の表示状態の変化タイミングが一致するまで、設定値Ｇｃ、Ｇ１、Ｇ２、Ｇ３の修正処理を繰り返すことで、電球やＬＥＤなど、異なる電流特性を有する信号灯器１に対しても、設置時の簡単な作業により、適切な増幅率を容易に設定できることとなる。
【００８７】
以上のように、実施の形態３によれば、以下のような優れた効果を得ることができる。
・電流の流れる波形の始まりと、その正弦波波形のピークレベルを確実に検知できる構成を信号状態検出器に持たせている。この結果、実際の点灯とのずれを最小限にすることが可能となる。
【００８８】
・記録制御部からの設定により、電流センサで検知したそれぞれの色の灯器の電流値に相当する各信号の増幅率を可変設定できる構成を信号状態検出器に持たせている。この結果、信号灯器が電球またはＬＥＤのいずれの場合も、その電流値に応じた個別の適切な増幅率を設定することができ、信号灯器の状態を高精度に検知することができる。
【００８９】
・点灯判定部による判定結果を表示させる構成を信号状態検出器に持たせている。この結果、オペレータは、実際の設置現場で、増幅率の設定が適切であることを容易に確認できるとともに、適切でない場合には、増幅率の設定値を修正することで、容易に適切な値を導き出すことができる。
【符号の説明】
【００９０】
１  信号灯器、２  信号制御器、１０、１０ａ、１０ｂ  交通事故自動記録装置、１１  記録制御部、１２  音声信号Ａ／Ｄ部、１３  事故音検出部、１４  記録部、１５  予備メモリ、２０  マイクロホン、３０  カメラ、４０  ＧＰＳ受信器、５０  信号状態検出器、５１  増幅部、５２  波形整形部、５３  タイミングパルス生成部、５４  点灯判定部、５５  表示部、５６  信号点灯実データ生成部、５７  設定値制御部、６１  画面、６２  事故音検出一覧表示エリア、６３  記録映像データ表示エリア、６４  信号点灯状態表表示エリア、６５  時刻表示エリア、６５ａ  シークバー、６５ｂ  識別マーキング、６６  操作ボタン表示エリア、６６ａ  再生ボタン、１４１  ＵＳＢ  Ｉ／Ｆ、１４２  制御部、１４３  記録媒体、１４４  電源切替え部、１４５  バッテリ。
【要約】
【課題】信号灯器の点灯状態を高精度に検出する信号状態検出器を備えた交通事故自動記録装置を得る。
【解決手段】信号灯器に流れる電流検出値から、信号点灯実データを生成する信号状態検出器（５０）を備え、電流検出値を増幅する増幅部（５１）と、コモン電流波形のピークに対応するパルス信号を生成する生成部（５２、５３）と、パルス信号のタイミングにおける信号灯器を流れる電流を読み取り、しきい値とを比較することで点灯状態と消灯状態を識別する点灯判定部（５４）と、点灯判定部による識別結果に応じて、点灯または消灯する表示部（５５）と、表示部による表示状態と、信号灯器の実際の点灯状態が一致していないと判断したオペレータにより、記録制御部で設定された増幅率を受信し、増幅部で使用する増幅率を更新する設定値制御部（５７）とを有する。
【選択図】図８【図１】
0006000395.tif 000002
【図２】
0006000395.tif 000003
【図３】
0006000395.tif 000004
【図４】
0006000395.tif 000005
【図５】
0006000395.tif 000006
【図６】
0006000395.tif 000007
【図７】
0006000395.tif 000008
【図８】
0006000395.tif 000009
【図９】
0006000395.tif 000010